(57)【要約】【課題】  本発明は、ＰＤＡ等に代表されるアラーム機能を備えた機器において、関連情報により、動作開始時刻及びまたは動作の種類を変更する手段を持ち、関連機器に通知することが可能となる。つまり、ユーザーが知らないうちに、変更を可能とするシステムであり、生活を快適にすることを目的としている。【解決手段】  関連情報を入手する手段、関連情報により動作開始時刻及びまたは動作の種類を変更する手段、関連機器に通知する手段、出力形態（アラーム・音色・光等）を変更手段、入手した関連情報を記憶する手段、入手した情報を出力する手段、関連情報による変更により影響を受けるホームネットワーク上の機器を予め指定し記憶する登録手段、機器制御手段、制御ファイルをダウンロードする手段、予め設定した機器に対応し関連情報を入手できるインターネットやＷｅｂ上のアクセスポイントを指定する手段等を搭載する。【選択図】  図３
2008282144.tif 000002
【特許請求の範囲】
【請求項１】
関連情報により、動作開始時刻及びまたは動作の種類を変更する手段を持ち、関連機器に通知する手段を有することを特徴とする情報機器通知システム。
【請求項２】
動作開始時刻及びまたは動作の種類を変更した場合において、出力形態を変更させることを特徴とする請求項１に記載の情報機器通知システム。
【請求項３】
入手した関連情報を記憶する手段を持ち、その情報を出力する手段を有することを特徴とする請求項１に記載の情報機器通知システム。
【請求項４】
関連情報による変更により影響を受けるホームネットワーク上の機器を予め指定し、記憶する手段を持つことにより、あらゆる機器を制御することを特徴とする請求項１に記載の情報機器通知システム。
【請求項５】
関連情報による変更により影響を受けるホームネットワーク上の機器において、動作の種類を変更する為に、制御ファイルをダウンロードする手段を有することを特徴とする請求項１に記載の情報機器通知システム。
【請求項６】
予め設定した機器に対応し関連情報を入手できるインターネットやＷｅｂ上のアクセスポイントを予め指定することにより、定期的に関連情報を入手する手段を持つことを特徴とする請求項１に記載の情報機器通知システム。
【発明の詳細な説明】
【技術分野】
【０００１】
本発明は、関連情報により、動作開始時刻及びまたは動作の種類を変更する手段を持ち、関連機器に通知する手段を有することを特徴とする情報機器通知システムである。つまり、PDA等に代表されるアラーム機能を備えた機器が、関連情報を常に又は定期的にチェックし、アラーム設定時刻を変更する事が可能となる。例えば、朝１１時の集合時間に間に合わす為に、アラームを９時に設定し、家を１０時に出発する予定にしたとする。集合場所に行く方法は、徒歩→バスであり、通常かかる時間が、徒歩１０分。バス３０分であったとする。しかし、関連情報のチェックにより、バスの事故又は渋滞等の情報を入手したとする。その時、渋滞情報を考慮し設定した時間を、３０分早く設定しなおす、又は違う経路を考える等が可能となる。
【０００２】
また、上記のように、動作開始時刻及びまたは動作の種類を変更した場合において、出力形態（アラーム・音色・光等）を変更させることにより、素早く変更を知ることも可能となる。また、入手した関連情報を記憶する手段を持ち、その情報をプリンタで印刷する、テレビ画面にテロップを出す等により、どういう状況で変更することになったかを知ることも可能となる。また、関連情報による変更により影響を受けるホームネットワーク上の機器を予め指定し、記憶する手段を持つことにより、渋滞情報によりアラーム時間が３０分早くなった場合においては、朝食に関連する炊飯器やポットの時間変更。天気情報により雨とわかった場合には、洗濯機を３０分早めに動作開始させ、乾燥まで行う等の動作変更も可能となる。また、動作の種類を変更する為に、ダウンロードする手段を持つことにより最適な制御ファイルを得ることが可能となる。更に、予め設定した機器に対応し関連情報を入手できるインターネットやＷｅｂ上のアクセスポイントを予め指定することにより、簡単に関連情報を入手することが可能となる。
【背景技術】
【０００３】
従来、PDA等に代表されるアラーム機能を備えた機器において、時刻設定等を行った場合、渋滞情報や事故情報、又は天気情報によって予定が狂う事が多々発生していた。この為、通常の予想以上に早く起きる為に目覚しをセットしたりする必要があった。また、電車等が事故で動かない場合、自分で他の経路を調べる必要があった。
【０００４】
従来例としては、例えば特許文献１をあげることが出来る。
【特許文献１】特開2002-116772号公報
【発明の開示】
【発明が解決しようとする課題】
【０００５】
従来、PDA等に代表されるアラーム機能を備えた機器において、時刻設定等を行った場合、渋滞情報や事故情報、又は天気情報によって予定が狂う事が多々発生していた。この為、通常の予想以上に早く起きる為に目覚しをセットしたりする必要があった。また、電車等が事故で動かない場合、自分で他の経路を調べる必要があるという問題点があった。
【０００６】
本発明は、関連情報により、動作開始時刻及びまたは動作の種類を変更する手段を持ち、関連機器に通知する手段を有することを特徴とする情報機器通知システムである。つまり、PDA等に代表されるアラーム機能を備えた機器が、関連情報を常に又は定期的にチェックし、アラーム設定時刻を変更する事が可能となる。例えば、朝１１時の集合時間に間に合わす為に、アラームを９時に設定し、家を１０時に出発する予定にしたとする。集合場所に行く方法は、徒歩→バスであり、通常かかる時間が、徒歩１０分。バス３０分であったとする。しかし、関連情報のチェックにより、バスの事故又は渋滞等の情報を入手したとする。その時、渋滞情報を考慮し設定した時間を、３０分早く設定しなおす、又は違う経路を考える等が可能となる。
【０００７】
また、上記のように、動作開始時刻及びまたは動作の種類を変更した場合において、出力形態（アラーム・音色・光等）を変更させることにより、素早く変更を知ることが可能となる。また、入手した関連情報を記憶する手段を持ち、その情報をプリンタで印刷する、テレビ画面にテロップを出す等により、どういう状況で変更することになったかを知ることも可能となる。また、関連情報による変更により影響を受けるホームネットワーク上の機器を予め指定し、記憶する手段を持つことにより、渋滞情報によりアラーム時間が３０分早くなった場合においては、朝食に関連する炊飯器やポットの時間変更。
【０００８】
天気情報により雨とわかった場合には、洗濯機を３０分早めに動作開始させ、乾燥まで行う等の動作変更も可能となる。また、動作の種類を変更する為に、ダウンロードする手段を持つことにより最適な制御ファイルを得ることが可能となる。更に、予め設定した機器に対応し関連情報を入手できるインターネットやＷｅｂ上のアクセスポイントを予め指定することにより、簡単に関連情報を入手することが可能となる。
【０００９】
このように、本発明は、PDA等に代表されるアラーム機能を備えた機器において、関連情報により、動作開始時刻及びまたは動作の種類を変更する手段を持ち、関連機器に通知することが可能となる。もちろん、電車故障情報が解除され、通常ダイヤに戻ったり、渋滞が緩和された場合においては、元の設定に戻すことも可能である。つまり、ユーザーが知らないうちに、変更を可能とするシステムであり、生活を快適にするシステムと言える。
【００１０】
このことにより、上記問題を解決することを目的としている。
【課題を解決するための手段】
【００１１】
そこで、本発明では、関連情報を入手する手段
関連情報により動作開始時刻及びまたは動作の種類を変更する手段
関連機器に通知する手段出力形態（アラーム・音色・光等）を変更手段入手した関連情報を記憶する手段
入手した情報を出力する手段
関連情報による変更により影響を受けるホームネットワーク上の機器を予め指定し、記憶する登録手段機器制御手段制御ファイルをダウンロードする手段
予め設定した機器に対応し関連情報を入手できるインターネットやＷｅｂ上のアクセスポイントを指定する手段
等を搭載することで、関連情報を入手し、関連情報により動作開始時刻及びまたは動作の種類を変更させる。または、関連機器に通知する。更に変更した場合は、出力形態（アラーム・音色・光等）を変更することにより、容易に変更があったことを知ることが可能となる。また、詳細情報については、入手した関連情報を記憶する手段を持ち、入手した情報を出力することにより知ることが可能となる。また、関連情報による健康により影響を受けるホームテット枠を予め指定し記憶することにより、自動的に各種機器への通知と設定を変更することが容易となる。また、動作の種類を変更する為に、ダウンロードする手段を持つことにより最適な制御ファイルを得ることが可能となる。また更に、これらの関連情報を入手できるインターネットやWeb上のアクセスポイントを指定することにより、簡単に情報を入手可能となる。
【発明の効果】
【００１２】
以上に述べたように、本発明によれば、従来、PDA等に代表されるアラーム機能を備えた機器において、時刻設定等を行った場合、渋滞情報や事故情報、又は天気情報によって予定が狂う事が多々発生していた。この為、通常の予想以上に早く起きる為に目覚しをセットしたりする必要があった。また、電車等が事故で動かない場合、自分で他の経路を調べる必要があるという問題点があった。
【００１３】
本発明は、関連情報により、動作開始時刻及びまたは動作の種類を変更する手段を持ち、関連機器に通知する手段を有することを特徴とする情報機器通知システムである。つまり、PDA等に代表されるアラーム機能を備えた機器が、関連情報を常に又は定期的にチェックし、アラーム設定時刻を変更する事が可能となる。例えば、朝１１時の集合時間に間に合わす為に、アラームを９時に設定し、家を１０時に出発する予定にしたとする。集合場所に行く方法は、徒歩→バスであり、通常かかる時間が、徒歩１０分。バス３０分であったとする。しかし、関連情報のチェックにより、バスの事故又は渋滞等の情報を入手したとする。その時、渋滞情報を考慮し設定した時間を、３０分早く設定しなおす、又は違う経路を考える等が可能となる。
【００１４】
また、上記のように、動作開始時刻及びまたは動作の種類を変更した場合にお
いて、出力形態（アラーム・音色・光等）を変更させることにより、素早く変更を知ることが可能となる。また、入手した関連情報を記憶する手段を持ち、その情報をプリンタで印刷する、テレビ画面にテロップを出す等により、どういう状況で変更することになったかを知ることも可能となる。また、関連情報による変更により影響を受けるホームネットワーク上の機器を予め指定し、記憶する手段を持つことにより、渋滞情報によりアラーム時間が３０分早くなった場合においては、朝食に関連する炊飯器やポットの時間変更。天気情報により雨とわかった場合には、洗濯機を３０分早めに動作開始させ、乾燥まで行う等の動作変更も可能となる。また、動作の種類を変更する為に、ダウンロードする手段を持つことにより最適な制御ファイルを得ることが可能となる。更に、予め設定した機器に対応し関連情報を入手できるインターネットやＷｅｂ上のアクセスポイントを予め指定することにより、簡単に関連情報を入手することが可能となる。
【００１５】
このように、本発明は、PDA等に代表されるアラーム機能を備えた機器において、関連情報により、動作開始時刻及びまたは動作の種類を変更する手段を持ち、関連機器に通知することが可能となる。もちろん、電車故障情報が解除され、通常ダイヤに戻ったり、渋滞が緩和された場合においては、元の設定に戻すことも可能である。つまり、ユーザーが知らないうちに、変更を可能とするシステムであり、生活を快適にするという効果が得られる。
【発明を実施するための最良の形態】
【００１６】
図1に、本発明説明図を示す。
【００１７】
本発明の簡単な説明を朝のアラーム設定時間と経路とを例に上げて説明する。
【００１８】
次の日の朝１１時に飛行場に１１時に集合する。その為に、バスを利用する。バスは、通常３０分かかるため、１０分余裕をもって、１０：２０出発のバスに乗ることにする。また、バス停までは、歩いて１０分である。これにも、１０分余裕をもたせ、１０時に家を出発することにした。PDA等に代表されるアラーム機能を備えた機器において、時刻設定等を行う。ここで、上記説明により、１０時に家を出ることにしたので、朝９時にアラームを設定した。
【００１９】
ここで問題になるのが、渋滞情報や飛行機情報である。ここでは、渋滞情報により、バスが予定より遅くかかることがわかったとする。この場合、変更スケジュール(1)のように、同じ経路を使うと仮定した場合、家を出発する時刻を渋滞により多くかかる分だけ早く出ることにする。そして、バス時刻表を調べ、最適な出発時刻９：５０を探し出し、徒歩時間等を考え、家を９：３０に出ることがわかる。つまり、アラーム時間を３０分早くに変更する。
【００２０】
変更後スケジュール(2)の場合は、違う経路を検出できた場合である。つまり、朝起きる時間等は同じで、違う経路、この場合は電車の時刻表を調べ、(1)と同様最適な出発時刻を調べ上げる。このように、同じ経路又は、同じ時刻で間違いなく集合時間に間に合うように、自動的に設定を変更することが可能となる。また、自動的に、他の経路等も調べて知らせることが可能となる。
【００２１】
図２に、本発明の構成図を示す。
【００２２】
本発明のプログラムはROMに入っている。ROMからプログラムを呼び出し、作業を行う。
【００２３】
設定内容保存手段により、PDA等に設定したアラーム時間等を保存する。また、予めその日の朝に使う交通手段等を関連し、設定することも可能になる。図１に説明した例を同様に用いれば、設定内容保存手段には、アラーム設定時間・経路・集合時間等が保存されている。そして、それに関連する情報入手手段として、関連情報アクセスポイント記憶手段により、予め飛行場のHPや、渋滞・バス会社情報のHP等を登録しておくことにより、簡単に関連情報を入手することが可能となる。また、情報保存手段を搭載することにより、どういう状況で設定時間等が変更したかを簡単に知ることが可能となる。同時に、違う経路になった場合もプリンタ等への印刷により簡単に知ることが可能となる。その状況を知る手段として、出力装置がある。これは、プリンタからの印刷、TV画面への表示、アラーム・音色・光の変化等により知ることが可能となる。また、関連機器登録手段により、関連する情報がどの機器へ影響を与えるか保存でき、自動的にその機器の制御を変更できる。たとえば、朝炊飯器をタイマー設定してる場合は、朝起きる時間と同様に早く設定しなおすことが可能となり、朝起きたと同時に食事が可能となる。また、朝洗濯をすると設定した場合等に用いるのは、制御設定手段である。たとえば、朝雨が降っていれば、洗濯と乾燥まで行う。また、外に干したいものについては、洗濯自体を取りやめることも可能である。  
【００２４】
実施例についてはフローチャートを用いて説明する。
【００２５】
図3に本発明の概略フローチャートを示す。
【００２６】
まず、関連機器の登録を行い、どの設定内容を変更した時に、連動するかの登録（3-1）を行う。つまり、アラームの設定時間を変更した時には、炊飯器やポット等を関連つける。次に、設定内容保存(3-2)を行い、アラームの時間、経路等を保存する。次に、関連情報入手処理(3-3)を行う。この作業により、なにか関連する情報を入手した場合は、関連付けをおこなった機器への開始時刻及びまたは動作の種類を変更を行う。これは、次の制御変更処理(3-4)において行い、(3-5)に並ぶ各種機器（１）〜Xまでに対応した制御変更を設定し、終了する。もちろん、この機器の中には、出力装置も含まれており、経路が変わった場合においては、印刷により新しい経路と時刻を印刷する、アラームにおいては、目覚しをかける時間を変更するとともに、音色を変える等して、変更があったことを知らせる等が可能となる。また、経路等の変更については、図１において説明した例のように、起きる時間を変更せず経路を変更する又は、起きる時間を変更して経路を変更えない等、多種の方法が考えられる場合等は、ユーザーがあらかじめ、何を優先するかを登録することにより、自動的に制御することも可能となる。
【００２７】
図４に関連情報入手処理の概略フローチャートを示す。
【００２８】
関連情報があるアクセスポイントがあらかじめ設定してある場合は、そこの随時又は更新時又は定期的にチェックする(4-1)。そこで関連情報の有無を判断し(4-2)、あった場合は、その内容をチェック(4-3)し、それに伴い設定等を変更しなければならない情報であった場合は、関連情報内容を保存する(4-4)し、終了する。
【００２９】
これらのように、本発明を用いることにより、ホームネットワーク上のあらゆる機器の関連付けを行うことにより、設定内容に対し、関連情報があった場合は、自動的にその内容を変更し、その機器に連動する機器に対する制御等も変更することにより、生活を快適にすることが可能となる。また、出力機器への制御により、どういう状況で変更になったのかを知ることが可能となる。また、それにともない変更した内容（経路等）が予めわかっており、また、随時チェックしていることによって、その情報を安心して信じることができる。
【図面の簡単な説明】
【００３０】
【図１】本発明説明図
【図２】本発明の構成図
【図３】本発明による概略フローチャート
【図４】関連情報入手処理の概略フローチャート
【図１】
2008282144.tif 000003
【図２】
2008282144.tif 000004
【図３】
2008282144.tif 000005
【図４】
2008282144.tif 000006